(57)【要約】      （修正有）【課題】マイクロポンプの軸方向高度を有効に下げ、密封性が良く、作業効率が向上し、作業時間を節約するマイクロポンプの構造を提供する。      【解決手段】マイクロポンプ１は、本体１１、少なくとも一水室仕切板１２、少なくとも一プロペラ体１４及び少なくとも一駆動ユニット１５を含む。そのうち前記本体は、少なくとも一貯水空間１１１、一入口１１３及び一出口１１４を含み、該入口及び該出口は該本体側面に分けて設置し且つ該貯水空間と相互に連通する。また該水室仕切板は前述貯水空間内に設置し、該貯水空間を少なくとも一進水エリア１１１３及び一排水エリア１１１４に仕切る。前記プロペラ体は、前述本体の貯水空間内に設置し、前記駆動ユニットは前述本体内に設置し、前記水室仕切板を設置することにより、該マイクロポンプの内部導流を大幅に高め、前記マイクロポンプ軸方向高度を下げ、作業空間を節約し、作業効率を高める目的を達成する。【選択図】図４
0003154265.tif 000002
【実用新案登録請求の範囲】
【請求項１】
マイクロポンプの構造において、
少なくとも一貯水空間、一入口及び一出口を備え、該入口及び該出口は該本体側面に分けて設置し、該貯水空間と相互に連通する本体と、
前述貯水空間内に設置し、該貯水空間は少なくとも一進水エリア及び少なくとも一排水エリアに仕切る少なくとも一水室仕切板と、
前述貯水空間内に設置する少なくとも一プロペラ体と、
前述本体内に設置する少なくとも一駆動ユニットを含むことを特徴とするマイクロポンプの構造。
【請求項２】
前記マイクロポンプの構造は、別に第一蓋体を備え、該本体に対応して蓋をすることを特徴とする請求項１記載のマイクロポンプの構造。
【請求項３】
前記貯水空間は、第一封閉側及び第一開放側を備え、前記第一蓋体が該第一開放側に対応して蓋をし、前記貯水空間を封鎖することを特徴とする請求項２記載のマイクロポンプの構造。
【請求項４】
前記本体は、駆動ユニット納置空間を備え、該貯水空間の別一端に形成し、該駆動ユニットは該駆動ユニット納置空間内に設置することを特徴とする請求項１記載のマイクロポンプの構造。
【請求項５】
前記マイクロポンプの構造は、別に第二蓋体を備え、前記駆動ユニット納置空間は第二封閉側及び第二開放側を備え、前記第二蓋体は前述第二開放側に対応して蓋をし、前記駆動ユニット納置空間を封鎖することを特徴とする請求項４記載のマイクロポンプの構造。
【請求項６】
前記入口及び前記出口は、それぞれ該進水エリア及び該排水エリアと相互に通じることを特徴とする請求項１記載のマイクロポンプの構造。
【請求項７】
前記入口と前記進水エリア間は、少なくとも一進水道で相互に連接することを特徴とする請求項６記載のマイクロポンプの構造。
【請求項８】
前記出口と前記排水エリア間は、少なくとも一排水道で相互に連接することを特徴とする請求項６記載のマイクロポンプの構造。
【請求項９】
前記入口及び出口の両者は、軸方向で一高度差を備えることを特徴とする請求項１記載のマイクロポンプの構造。
【請求項１０】
前記貯水空間は、集水エリアを備え、該プロペラ体の根部で形成することを特徴とする請求項１記載のマイクロポンプの構造。
【請求項１１】
前記プロペラ体は、複数個のプロペラを備え、該集水エリアは該等プロペラ体の根部で形成することを特徴とする請求項１０記載のマイクロポンプの構造。
【請求項１２】
前記プロペラ体は、複数個のプロペラ及び軸心を備えることを特徴とする請求項１記載のマイクロポンプの構造。
【請求項１３】
前記駆動ユニットはモーターとすることを特徴とする請求項１記載のマイクロポンプの構造。
【考案の詳細な説明】
【技術分野】
【０００１】
本考案は、マイクロポンプの構造に関するもので、特にマイクロポンプ軸方向高度を大幅に下げ、また作業効率を上げるマイクロポンプの構造に係わる。
【背景技術】
【０００２】
図１は、公知技術のマイクロポンプの組立断面図で、図に示すとおり、公知技術のマイクロポンプ３は、冷却液４を液体貯蔵槽５内に入れる。マイクロポンプ３は枠台３１、一最上蓋３２、一ファン３３及び一底面土台３４を含む。該枠台３１と最上蓋３２が結合して該ファン３３を納置する液体流動空間３５を形成し、前記最上蓋３２は液体進入口３５１及び液体排出口３５２を備え、また該底面土台３４の底面３４１には案内槽３４２、及び該案内槽３４２内に隙間を設置し且つそれぞれが該液体流動空間３５に連通する一出水孔３４３と一排気孔３４４を設置する。該出水孔３４３の口径は、やや該排気孔３４４の口径より大きく、且つ該案内槽３４２の一端は該底面土台３４側縁まで伸び、且該液体貯蔵槽５と相互に連通する。
【０００３】
前述マイクロポンプは、前述液体貯蔵槽５内の冷却液４前記液体貯蔵槽５内で流動させるのを促進するが、全体から見て公知技術のマイクロポンプ３の全体構造は枠台３１及び最上蓋３２及び底面土台３４三項の部品を組み立てて、それらで封鎖して前述の液体流動空間３５を形成するため、密封性に於いて、いくつもの接合箇所があるため密封性が劣り、液体が漏れやすい。更に該マイクロポンプ３の液体進入口３５１は該マイクロポンプ３の最上蓋３２のほぼ最上部に設置するため、冷却液４は前記液体進入口３５１から入れ、最上蓋３２側面に設置した液体排出口３５２から流出する。冷却液４はマイクロポンプ３の軸方向から進入してマイクロポンプ３の径方向へ流出する設計となっているため、マイクロポンプ３の全体的な高度はこの設計により、軸方向高度の高さを下げることができず、前述マイクロポンプ３を納置空間が比較的小さい場所に設置する場合、前記マイクロポンプ３の軸方向高度が高すぎて有効に使用できないことがある。
【先行技術文献】
【特許文献】
【０００４】
【特許文献１】特開平０８−３１９９５６号公報
【考案の概要】
【考案が解決しようとする課題】
【０００５】
前述したように従来のマイクロポンプの問題点は軸方向の高度が高すぎる、広範囲に応用できない、漏れ防止効果に劣るという点である。
本考案の課題は、上記の問題点に鑑みなされたもので、マイクロポンプにおいて、軸方向の高度を低くし、広範囲に応用でき、漏れ防止効果も高いマイクロポンプを提供すことである。
【課題を解決するための手段】
【０００６】
本考案は、本体、少なくとも一水室仕切板、少なくとも一プロペラ体及び少なくとも一駆動ユニットを含む。そのうち前記本体は、少なくとも一貯水空間、一入口及び一出口を含み、該入口及び該出口は該本体側面に分けて設置し且つ該貯水空間と相互に連通する。また該水室仕切板は前述貯水空間内に設置し、該貯水空間を少なくとも一進水エリア及び一排水エリアに仕切る。前記プロペラ体は、前述本体の貯水空間内に設置し、前記駆動ユニットは前述本体内に設置し、本考案は前記水室仕切板を設置することにより、該マイクロポンプの内部導流を大幅に高め、前記マイクロポンプ軸方向高度を下げ、作業空間を節約し、作業効率を高める目的を達成することを最も主要な特徴とする。
【考案の効果】
【０００７】
本考案のマイクロポンプの構造は、マイクロポンプの軸方向高度を有効に下げ、密封性が良く、作業効率が向上し、作業時間を節約するという利点がある。
【図面の簡単な説明】
【０００８】
【図１】公知マイクロポンプの組立断面図である。
【図２】本考案の立体分解図である。
【図３】本考案の立体組立図である。
【図４】本考案の組立断面図である。
【図５】本考案の作動指示図である。
【考案を実施するための形態】
【０００９】
上述の公知技術の欠点を改善するため、マイクロポンプの軸方向高度を大幅に下げ、作業効率を高め、別に密封性に優れたマイクロポンプの構造を提供することを本考案の主な目的とする。
【００１０】
上述の目的のため、本考案は一種のマイクロポンプの構造を提供する。前記マイクロポンプ構造は、少なくとも一本体、少なくとも一水室仕切板、少なくとも一プロペラ体及び少なくとも一駆動ユニットを含む。そのうち前記本体は、少なくとも一貯水空間、一入口及び一出口を備え、該入口及び該出口は、該本体側面に分けて設置し、且つ該貯水空間と相互に連通し、該水室仕切板は、前述貯水空間内に於いて、該水室仕切板によって少なくとも一進水エリア及び一排水エリアに分け、前記入口及び出口は、それぞれ前述進水エリア及び排水エリアと相互に通連する。この他，前記プロペラ体は、前述本体の該貯水空間内に設置し、該駆動ユニットは該本体内に設置する。
本考案は、水室仕切板を前記貯水空間内に設置することによって導流機能を発揮し、前記マイクロポンプの作業機能を影響しない前提に於いて、前記マイクロポンプ軸方向高度を下げるだけでなく、工作空間を節約する長所の他、更に前記水室仕切板が発する導流効果によってマイクロポンプの作業効率を大幅に高める。他に、該貯水空間は独立して該本体で形成されるため、良好な密封効果を備える。
【実施例】
【００１１】
本考案の上述目的及び其構造と機能についての特性を図式に基づき、実施例を挙げて説明する。
【００１２】
図２、３、４は本考案の実施例の立体分解、組立図及び断面図である。図２及び図３に示すとおり、本考案は一種のマイクロポンプの構造を提供する。
前記マイクロポンプ１構造は、本体１１、少なくとも一水室仕切板１２、少なくとも一プロペラ体１４及び少なくとも一駆動ユニット１５を含む。本考案の駆動ユニット１５は、モーターを選択する。この他、前記本体１１は、少なくとも一貯水空間１１１、一駆動ユニット容置空間１１２、一入口１１３及び一出口１１４を含む。そのうち該貯水空間１１１と該駆動ユニット容置空間１１２は、それぞれ本体１１の両端に設置し、該入口１１３及び該出口１１４は該本体１１側面に設置して、貯水空間１１１と相互に連通する。
【００１３】
図４に示すとおり、前記水室仕切板１２は前述貯水空間１１１内に設置し、該貯水空間１１１を水室仕切板１２によって、少なくとも一進水エリア１１１３及び少なくとも一排水エリア１１１４に仕切る。しかしながら、貯水空間１１１の進水エリア１１１３と排水エリア１１１４は入口１１３及び出口１１４が相互に連接しているため、進水エリア１１１３に於いて入口１１３との間に進水道１１１５を形成しており、排水エリア１１１４に於いて、出口１１４との間に排水道１１１６を形成している。他に前記入口１１３及び出口１１４の両者は、軸方向で一高度差を備える。前記プロペラ体１４は、前述本体１１の貯水空間１１１内に設置し、駆動ユニット１５は前述本体１１の駆動ユニット納置空間１１２内に設置する。そのうち、該プロペラ体１４は、複数のプロペラ１４１及び一軸心１４２を備えている。
【００１４】
また、前記貯水空間１１１は、別に少なくとも一集水エリア１１１７を備える。該集水エリア１１１７はプロペラ１４のプロペラ１４１の根部で形成され、他に貯水空間１１１は、第一封閉側１１１１及び第一開放側１１１２(図２参照)を備える。第一開放側１１１２は第一蓋体１３で前述貯水空間１１１に対応して封鎖する。駆動ユニット納置空間１１２は、第二封閉側１１２１及び第二開放側１１２２を備え、その第二開放側１１２２は前記第二蓋体１６で駆動ユニット納置空間１１２に対応して封鎖する。
【００１５】
図５は、本考案の実施例の作動指示図であり、図に示すとおり、放熱流体２は、先ず前記本体１１側面の入口１１３から進入し、進水道１１１５を通過して前記貯水空間１１１の進水エリア１１１３に進入する。続いて前述水室仕切板１２を経由して放熱流体２を進水エリア１１１３からプロペラ１４１根部の集水エリア１１１７に導き、次にプロペラ体１４のプロペラ１４１を経由して回転し遠心力で、前記放熱流体２を集水エリア１１１７から排水エリア１１１４へ流す。排水エリア１１１４へ入った後、最後に前記排水エリア１１１４から排水道１１１６へ進入して再び出口１１４から該本体１１へ流出させる。
【００１６】
本考案の実施例に於いて、貯水空間１１１内に前記水室仕切板１２を設置する理由は該水室仕切板１２が放熱流体２の力に緩衝効果を備える他に、水室仕切板１２を通過することで、更に前記放熱流体２を直接集水エリア１１１７へ導く。図５図に示すとおり、前記入口１１３及び出口１１４の両者は前記本体１１の軸方向上で一高度差を備え、即ち入口１１３は前記出口１１４より高い。この設計の目的は、放熱流体２が該貯水空間１１１内に流入した時、該入口１１３及び該出口１１４の高度差とプロペラ体１４の回転によって、その流れがスムーズになる。この他、本考案の駆動ユニット納置空間１１２及び前記貯水空間１１１は、相互に独立し連通しないため、良好な密封性を備え、前記貯水空間１１１に放熱流体２を注入すると、貯水空間１１１内部で循環する。
【００１７】
本考案の実施例の特徴は、マイクロポンプ１の入口１１３及び出口１１４を本体１１側面に設置した構造の設計によって、マイクロポンプ１全体の軸方向の高度を大幅に下げた他、本考案では更に貯水空間１１１内に水室仕切板１２を設置した。該設計は、放熱流体２を進水エリア１１１３に進入させた後、水室仕切板１２を通して放熱流体２を直接集水エリア１１１７へ導き、駆動ユニット１５が動かしたプロペラ体１４が回転して加圧されて流れが起こった放熱流体２を排水エリア１１１４へ流して本体１１から流出させる。言い換えると、水室仕切板１２の設置は、放熱流体２の流れを更にスムーズにするだけでなく、放熱流体２に対して緩衝効果を提供する。これらによって、本考案の構造は作業空間を節約するだけでなく、更に作業効率を高め、公知技術と比較して大幅な進歩と実用価値を備える。
【００１８】
以上は本考案の良好な実施例であり、それに制限されず、仮に本考案の構想に基づいた、本考案の精神範囲内から乖離しない変更、例として、構造もしくは設置の変換、各種変化に対する修飾と応用、それによって発生する効果作用は、すべて本考案の請求範囲内に含まれる。
【００１９】
上述のとおり、本考案のマイクロポンプの構造は、使用時に確実にその効果と目的を達成する。故に本考案は実用性に優れている。
【符号の説明】
【００２０】
１        マイクロポンプ
１１        本体
１１１        貯水空間
１１１１        第一封閉側
１１１２        第一開放側
１１１３        進水エリア
１１１４        排水エリア
１１１５        進水道
１１１６        排水道
１１１７        集水エリア
１１２        駆動ユニット納置空間
１１２１        第二封閉側
１１２２        第二開放側
１１３        入口
１１４        出口
１２        水室仕切板
１３        第一蓋体
１４        プロペラ体
１４１        プロペラ
１４２        軸心
１５        駆動ユニット
１６        第二蓋体
２        放熱流体
３        マイクロポンプ
３１        枠台
３２        最上蓋
３３        ファン
３４        底面土台
３４１        底面
３４２        案内槽
３４３        出水孔
３４４        排気孔
３５        液体流動空間
３５１        液体進入口
３５２        液体排出口
４        冷却液
５        液体貯蔵槽
【図１】
0003154265.tif 000003
【図２】
0003154265.tif 000004
【図３】
0003154265.tif 000005
【図４】
0003154265.tif 000006
【図５】
0003154265.tif 000007
【手続補正書】
【提出日】平成21年7月30日(2009.7.30)
【手続補正２】
【補正対象書類名】明細書
【補正対象項目名】０００６
【補正方法】変更
【補正の内容】
【０００６】
本考案は、本体、少なくとも水室仕切板、少なくともプロペラ体及び少なくとも駆動ユニットを含む。そのうち前記本体は、少なくとも貯水空間、入口及び出口を含み、該入口及び該出口は該本体側面に分けて設置し且つ該貯水空間と相互に連通する。また該水室仕切板は前述貯水空間内に設置し、該貯水空間を少なくとも進水エリア及び排水エリアに仕切る。前記プロペラ体は、前述本体の貯水空間内に設置し、前記駆動ユニットは前述本体内に設置し、本考案は前記水室仕切板を設置することにより、該マイクロポンプの内部導流を大幅に高め、前記マイクロポンプ軸方向高度を下げ、作業空間を節約し、作業効率を高める目的を達成することを最も主要な特徴とする。
【手続補正３】
【補正対象書類名】実用新案登録請求の範囲
【補正対象項目名】全文
【補正方法】変更
【補正の内容】
【実用新案登録請求の範囲】
【請求項１】
マイクロポンプの構造において、
該マイクロポンプの本体、少なくとも貯水空間、入口及び出口を備え、該入口及び該出口は該本体側面に分けて設置し、該貯水空間と相互に連通する本体と、
前記貯水空間内に設置し、該貯水空間は少なくとも進水エリア及び少なくとも排水エリアに仕切る少なくとも水室仕切板と、
前記貯水空間内に設置する少なくともプロペラ体と、
前記本体内に設置する少なくとも駆動ユニットを含むことを特徴とするマイクロポンプ。
【請求項２】
前記マイクロポンプの構造は、別に第一蓋体を備え、該本体に対応して蓋をすることを特徴とする請求項１記載のマイクロポンプ。
【請求項３】
前記貯水空間は、第一封閉側及び第一開放側を備え、前記第一蓋体が該第一開放側に対応して蓋をし、前記貯水空間を封鎖することを特徴とする請求項２記載のマイクロポンプ。
【請求項４】
前記本体は、駆動ユニット納置空間を備え、該貯水空間の別一端に形成し、該駆動ユニットは該駆動ユニット納置空間内に設置することを特徴とする請求項１記載のマイクロポンプ。
【請求項５】
前記マイクロポンプの構造は、別に第二蓋体を備え、前記駆動ユニット納置空間は第二封閉側及び第二開放側を備え、前記第二蓋体は前述第二開放側に対応して蓋をし、前記駆動ユニット納置空間を封鎖することを特徴とする請求項４記載のマイクロポンプ。
【請求項６】
前記入口及び前記出口は、それぞれ該進水エリア及び該排水エリアと相互に通じることを特徴とする請求項１記載のマイクロポンプ。
【請求項７】
前記入口と前記進水エリア間は、少なくとも進水道で相互に連接することを特徴とする請求項６記載のマイクロポンプ。
【請求項８】
前記出口と前記排水エリア間は、少なくとも排水道で相互に連接することを特徴とする請求項６記載のマイクロポンプ。
【請求項９】
前記入口及び出口の両者は、軸方向で高度差を備えることを特徴とする請求項１記載のマイクロポンプ。
【請求項１０】
前記貯水空間は、集水エリアを備え、該プロペラ体の根部で形成することを特徴とする請求項１記載のマイクロポンプ。
【請求項１１】
前記プロペラ体は、複数個のプロペラを備え、該集水エリアは該プロペラ体の根部で形成することを特徴とする請求項１０記載のマイクロポンプ。
【請求項１２】
前記プロペラ体は、複数個のプロペラ及び軸心を備えることを特徴とする請求項１記載のマイクロポンプ。
【請求項１３】
前記駆動ユニットはモーターとすることを特徴とする請求項１記載のマイクロポンプ。